(57)【要約】【課題】適切に「Ｔｏｏ  Ｅａｒｌｙ  ＨＯ」を報告する。【解決手段】本発明に係る移動通信方法は、無線基地局ｅＮＢ＃Ｂが、「ＲＲＣ  Ｃｏｎｎｅｃｔｉｏｎ  Ｒｅｃｏｎｆｉｇｕｒａｔｉｏｎ  Ｃｏｍｐｌｅｔｅ」に応じて、無線基地局ｅＮＢ＃Ａに対して、移動局ＵＥのコンテキストを解放するように指示する「Ｘ２  ＵＥ  Ｃｏｎｔｅｘｔ  Ｒｅｌｅａｓｅ」を送信する工程と、移動局ＵＥが、ＲＬＦを検出した場合に、セル＃Ｂに対する「ＲＲＣ  Ｃｏｎｎｅｃｔｉｏｎ  Ｒｅ-ｅｓｔａｂｌｉｓｈｍｅｎｔ」手順を行う工程と、無線基地局ｅＮＢ＃Ｂが、「Ｘ２  ＵＥ  Ｃｏｎｔｅｘｔ  Ｒｅｌｅａｓｅ」を送信してから「ＲＲＣ  Ｃｏｎｎｅｃｔｉｏｎ  Ｒｅ-ｅｓｔａｂｌｉｓｈｍｅｎｔ」手順が完了するまでの時間Ｔ１が所定時間よりも短い場合、無線基地局ｅＮＢ＃Ａに対して、「Ｔｏｏ  Ｅａｒｌｙ  ＨＯ」を通知する工程とを有する。【選択図】図３
2012147118.tif 000002
【特許請求の範囲】
【請求項１】
移動局が、第１無線基地局配下の第１セルから第２無線基地局配下の第２セルにハンドオーバする移動通信方法であって、
前記移動局が、受信したハンドオーバ指示信号に応じて、前記第１セルから前記第２セルへの切り替えを行った後に、前記第２無線基地局に対して、コネクション再構成完了信号を送信する工程と、
前記第２無線基地局が、前記コネクション再構成完了信号に応じて、前記第１無線基地局に対して、前記移動局のコンテキストを解放するように指示するコンテキスト解放信号を送信する工程と、
前記移動局が、無線リンク障害を検出した場合に、前記第２セルに対する再接続手順を行う工程と、
前記第２無線基地局が、前記コンテキスト解放信号を送信してから前記再接続手順が完了するまでの時間が所定時間よりも短い場合、前記第１無線基地局に対して、前記ハンドオーバのタイミングが早すぎたことを通知する工程とを有することを特徴とする移動通信方法。
【請求項２】
移動局が、第１無線基地局配下の第１セルから第２無線基地局配下の第２セルにハンドオーバする移動通信方法であって、
前記移動局が、受信したハンドオーバ指示信号に応じて、前記第１セルから前記第２セルへの切り替えを行った後に、前記第２無線基地局に対して、コネクション再構成完了信号を送信する工程と、
前記移動局が、無線リンク障害を検出し、アイドル状態に遷移した後、前記第２セルに対する接続手順を行う工程と、
前記接続手順が完了した後、前記移動局が、前記第２無線基地局に対して、前記ハンドオーバ指示信号を受信してから前記無線リンク障害を検出するまでの時間を通知する工程と、
前記第２無線基地局が、通知された前記時間が所定時間よりも短い場合、前記第１無線基地局に対して、前記ハンドオーバのタイミングが早すぎたことを通知する工程とを有することを特徴とする移動通信方法。
【発明の詳細な説明】
【技術分野】
【０００１】
本発明は、移動通信方法に関する。
【背景技術】
【０００２】
Ｒｅｌｅａｓｅ  ９/１０のＬＴＥ（Ｌｏｎｇ  Ｔｅｒｍ  Ｅｖｏｌｕｔｉｏｎ）方式で規定されている「ＳＯＮ  Ｍｏｂｉｌｉｔｙ  Ｒｏｂｕｓｔｎｅｓｓ  Ｏｐｔｉｍｉｓａｔｉｏｎ（ＭＲＯ）」では、ハンドオーバ先無線基地局からハンドオーバ元無線基地局に対して、「ＲＬＦ（Ｒａｄｉｏ  Ｌｉｎｋ  Ｆａｉｌｕｒｅ）」や「Ｈａｎｄｏｖｅｒ  Ｆａｉｌｕｒｅ」の発生要因の１つとして「Ｔｏｏ  Ｅａｒｌｙ  Ｈａｎｄｏｖｅｒ」を報告する方法が規定されている。
【０００３】
図６を参照して、かかる「Ｔｏｏ  Ｅａｒｌｙ  Ｈａｎｄｏｖｅｒ」を報告する方法について説明する。
【０００４】
図６に示すように、ステップＳ５００１において、移動局ＵＥは、無線基地局ｅＮＢ＃Ａに対して、「Ｍｅａｓｕｒｅｍｅｎｔ  Ｒｅｐｏｒｔ」を送信する。
【０００５】
無線基地局ｅＮＢ＃Ａは、ステップＳ５００２において、受信した「Ｍｅａｓｕｒｅｍｅｎｔ  Ｒｅｐｏｒｔ」に応じて、移動局ＵＥの無線基地局ｅＮＢ＃Ａ配下のセル＃Ａから無線基地局ｅＮＢ＃Ｂ配下のセル＃Ｂへのハンドオーバを行うことを決定し、ステップＳ５００３において、無線基地局ｅＮＢ＃Ｂに対して、「Ｘ２  ＨＯ  Ｒｅｑｕｅｓｔ」を送信する。
【０００６】
ステップＳ５００４において、無線基地局ｅＮＢ＃Ｂは、無線基地局ｅＮＢ＃Ａに対して、「Ｘ２  ＨＯ  Ａｃｋ」を送信し、ステップＳ５００５において、無線基地局ｅＮＢ＃Ａは、移動局ＵＥに対して、「ＨＯ  Ｃｏｍｍａｎｄ」を送信する。
【０００７】
移動局ＵＥは、ステップＳ５００６において、受信した「ＨＯ  Ｃｏｍｍａｎｄ」に応じて、セル＃Ａからセル＃Ｂへの切り替えを行った後に、ステップＳ５００７において、無線基地局ｅＮＢ＃Ｂに対して、「ＲＲＣ Ｃｏｎｎｅｃｔｉｏｎ  Ｒｅｃｏｎｆｉｇｕｒａｔｉｏｎ  Ｃｏｍｐｌｅｔｅ」を送信する。
【０００８】
ステップＳ５００８において、無線基地局ｅＮＢ＃Ｂは、無線基地局ｅＮＢ＃Ａに対して、移動局ＵＥのコンテキストを解放するように指示する「Ｘ２  ＵＥ  Ｃｏｎｔｅｘｔ  Ｒｅｌｅａｓｅ」を送信する。
【０００９】
一方、ステップＳ５００９において、移動局ＵＥは、セル＃ＢにおいてＲＬＦを検出した後、ステップＳ５０１０において、セル＃Ａに対する「ＲＲＣ  Ｃｏｎｎｃｅｔｉｏｎ  Ｒｅ-ｅｓｔａｂｌｉｓｈｍｅｎｔ」手順を行う。
【００１０】
かかる「ＲＲＣ  Ｃｏｎｎｃｅｔｉｏｎ  Ｒｅ-ｅｓｔａｂｌｉｓｈｍｅｎｔ」手順が完了した後、ステップＳ５０１１において、無線基地局ｅＮＢ＃Ａは、無線基地局ｅＮＢ＃Ｂに対して、セル＃ＢにおいてＲＬＦを検出した旨を示す「Ｘ２  ＲＬＦ  Ｉｎｄｉｃａｔｉｏｎ」を送信する。
【００１１】
ここで、無線基地局ｅＮＢ＃Ｂは、「Ｘ２  ＵＥ  Ｃｏｎｔｅｘｔ  Ｒｅｌｅａｓｅ」を送信してから「Ｘ２  ＲＬＦ  Ｉｎｄｉｃａｔｉｏｎ」を受信するまでの時間Ｔ５を測定し、かかる時間Ｔ５が所定時間よりも短い場合、ステップＳ５０１２において、無線基地局ｅＮＢ＃Ａに対して、「Ｔｏｏ  Ｅａｒｌｙ  ＨＯ」を通知する「Ｘ２  Ｈａｎｄｏｖｅｒ  Ｒｅｐｏｒｔ」を送信する。
【先行技術文献】
【非特許文献】
【００１２】
【非特許文献１】３ＧＰＰ  ＴＳ３６.３００
【発明の概要】
【発明が解決しようとする課題】
【００１３】
しかしながら、従来の「ＳＯＮ  Ｍｏｂｉｌｉｔｙ  Ｒｏｂｕｓｔｎｅｓｓ  Ｏｐｔｉｍｉｓａｔｉｏｎ」では、無線基地局ｅＮＢ＃Ｂは、「Ｘ２  ＲＬＦ  Ｉｎｄｉｃａｔｉｏｎ」を受信して初めて、無線基地局ｅＮＢ＃Ａに対して、「Ｔｏｏ  Ｅａｒｌｙ  ＨＯ」を通知する「Ｘ２  Ｈａｎｄｏｖｅｒ  Ｒｅｐｏｒｔ」を送信するように構成されている。
【００１４】
したがって、以下の２つのケースでは、無線基地局ｅＮＢ＃Ｂは、無線基地局ｅＮＢ＃Ａから「Ｘ２  ＲＬＦ  Ｉｎｄｉｃａｔｉｏｎ」を受信しないため、無線基地局ｅＮＢ＃Ａに対して、「Ｔｏｏ  Ｅａｒｌｙ  ＨＯ」を通知する「Ｘ２  Ｈａｎｄｏｖｅｒ  Ｒｅｐｏｒｔ」を送信することができないという問題点があった。
【００１５】
（ケース１）
移動局ＵＥのセル＃Ａからセル＃Ｂへのハンドオーバが完了した後に、移動局ＵＥが、セル＃ＢにおいてＲＬＦを検出し、セル＃Ｂに対する「ＲＲＣ  Ｃｏｎｎｃｅｔｉｏｎ  Ｒｅ-ｅｓｔａｂｌｉｓｈｍｅｎｔ」手順を行う。
【００１６】
（ケース２）
移動局ＵＥのセル＃Ａからセル＃Ｂへのハンドオーバが完了した後に、移動局ＵＥが、セル＃ＢにおいてＲＬＦを検出し、アイドル状態に遷移した後、セル＃Ｂに対する「ＲＲＣ  Ｃｏｎｎｃｅｔｉｏｎ  Ｅｓｔａｂｌｉｓｈｍｅｎｔ」手順を行う。
【００１７】
そこで、本発明は、上述の課題に鑑みてなされたものであり、上述のケース１乃至２において、適切に「Ｔｏｏ  Ｅａｒｌｙ  ＨＯ」を報告することができる移動通信方法を提供することを目的とする。
【課題を解決するための手段】
【００１８】
本発明の第１の特徴は、移動局が、第１無線基地局配下の第１セルから第２無線基地局配下の第２セルにハンドオーバする移動通信方法であって、前記移動局が、受信したハンドオーバ指示信号に応じて、前記第１セルから前記第２セルへの切り替えを行った後に、前記第２無線基地局に対して、コネクション再構成完了信号を送信する工程と、前記第２無線基地局が、前記コネクション再構成完了信号に応じて、前記第１無線基地局に対して、前記移動局のコンテキストを解放するように指示するコンテキスト解放信号を送信する工程と、前記移動局が、無線リンク障害を検出した場合に、前記第２セルに対する再接続手順を行う工程と、
前記第２無線基地局が、前記コンテキスト解放信号を送信してから前記再接続手順が完了するまでの時間が所定時間よりも短い場合、前記第１無線基地局に対して、前記ハンドオーバのタイミングが早すぎたことを通知する工程とを有することを要旨とする。
【００１９】
本発明の第２の特徴は、移動局が、第１無線基地局配下の第１セルから第２無線基地局配下の第２セルにハンドオーバする移動通信方法であって、前記移動局が、受信したハンドオーバ指示信号に応じて、前記第１セルから前記第２セルへの切り替えを行った後に、前記第２無線基地局に対して、コネクション再構成完了信号を送信する工程と、前記移動局が、無線リンク障害を検出し、アイドル状態に遷移した後、前記第２セルに対する接続手順を行う工程と、前記接続手順が完了した後、前記移動局が、前記第２無線基地局に対して、前記ハンドオーバ指示信号を受信してから前記無線リンク障害を検出するまでの時間を通知する工程と、前記第２無線基地局が、通知された前記時間が所定時間よりも短い場合、前記第１無線基地局に対して、前記ハンドオーバのタイミングが早すぎたことを通知する工程とを有することを要旨とする。
【発明の効果】
【００２０】
以上説明したように、本発明によれば、上述のケース１乃至４において、適切に「Ｔｏｏ  Ｅａｒｌｙ  ＨＯ」を報告することができる移動通信方法を提供することができる。
【図面の簡単な説明】
【００２１】
【図１】本発明の第１の実施形態に係る移動通信システムの全体構成図である。
【図２】本発明の第１の実施形態に係る無線基地局ｅＮＢ＃Ｂの機能ブロック図である。
【図３】本発明の第１の実施形態に係る移動通信システムの動作を説明するシーケンス図である。
【図４】本発明の変更例１に係る移動局ＵＥの機能ブロック図である。
【図５】本発明の変更例１に係る移動通信システムの動作を説明するシーケンス図である。
【図６】従来の移動通信システムの動作を説明するシーケンス図である。
【発明を実施するための形態】
【００２２】
（本発明の第１の実施形態に係る移動通信システム）
図１乃至図３を参照して、本発明の第１の実施形態に係る移動通信システムについて説明する。本実施形態では、本実施形態に係る移動通信システムとして、ＬＴＥ方式の移動通信システムを例示して説明するが、本発明は、ＬＴＥ方式以外の移動通信システムにも適用可能である。
【００２３】
図１に示すように、本実施形態に係る移動通信システムは、セル＃Ａを管理する無線基地局ｅＮＢ＃Ａと、セル＃Ｂを管理する無線基地局ｅＮＢ＃Ｂとを具備している。
【００２４】
また、本実施形態に係る移動通信システムは、「ＳＯＮ  Ｍｏｂｉｌｉｔｙ  Ｒｏｂｕｓｔｎｅｓｓ  Ｏｐｔｉｍｉｓａｔｉｏｎ（ＭＲＯ）」を用いることができるように構成されている。
【００２５】
図２に示すように、無線基地局ｅＮＢ＃Ｂは、受信部１１と、送信部１２と、測定部１３とを具備している。
【００２６】
受信部１１は、無線基地局＃Ａから「Ｘ２  ＨＯ  Ｒｅｑｕｅｓｔ」等を受信し、移動局ＵＥから「ＲＲＣ Ｃｏｎｎｅｃｔｉｏｎ  Ｒｅｃｏｎｆｉｇｕｒａｔｉｏｎ  Ｃｏｍｐｌｅｔｅ」等を受信するように構成されている。
【００２７】
送信部１２は、無線基地局＃Ａに対して「Ｘ２  ＨＯ  Ａｃｋ」や「Ｘ２  ＵＥ  Ｃｏｎｔｅｘｔ  Ｒｅｌｅａｓｅ」や「Ｘ２  Ｈａｎｄｏｖｅｒ  Ｒｅｐｏｒｔ」等を送信するように構成されている。
【００２８】
測定部１３は、送信部１２によって「Ｘ２  ＵＥ  Ｃｏｎｔｅｘｔ  Ｒｅｌｅａｓｅ」が送信されてから、「Ｘ２  ＵＥ  Ｃｏｎｔｅｘｔ  Ｒｅｌｅａｓｅ」に係る「ＲＲＣ  Ｃｏｎｎｅｃｔｉｏｎ  Ｒｅ-ｅｓｔａｂｌｉｓｈｍｅｎｔ」手順が完了するまでの時間Ｔ１を測定するように構成されている。
【００２９】
ここで、送信部１２は、測定部１３によって測定された時間Ｔ１が所定時間よりも短い場合、無線基地局ｅＮＢ＃Ａに対して、「Ｔｏｏ  Ｅａｒｌｙ  ＨＯ」を含む「Ｘ２  Ｈａｎｄｏｖｅｒ  Ｒｅｐｏｒｔ」を送信するように構成されている。
【００３０】
以下、図３を参照して、本実施形態に係る移動通信システムの動作について説明する。
【００３１】
図３に示すように、ステップＳ１００１において、移動局ＵＥは、無線基地局ｅＮＢ＃Ａに対して、「Ｍｅａｓｕｒｅｍｅｎｔ  Ｒｅｐｏｒｔ」を送信する。
【００３２】
無線基地局ｅＮＢ＃Ａは、ステップＳ１００２において、受信した「Ｍｅａｓｕｒｅｍｅｎｔ  Ｒｅｐｏｒｔ」に応じて、移動局ＵＥの無線基地局ｅＮＢ＃Ａ配下のセル＃Ａから無線基地局ｅＮＢ＃Ｂ配下のセル＃Ｂへのハンドオーバを行うことを決定し、ステップＳ１００３において、無線基地局ｅＮＢ＃Ｂに対して、「Ｘ２  ＨＯ  Ｒｅｑｕｅｓｔ」を送信する。
【００３３】
ステップＳ１００４において、無線基地局ｅＮＢ＃Ｂは、無線基地局ｅＮＢ＃Ａに対して、「Ｘ２  ＨＯ  Ａｃｋ」を送信し、ステップＳ１００５において、無線基地局ｅＮＢ＃Ａは、移動局ＵＥに対して、「ＨＯ  Ｃｏｍｍａｎｄ」を送信する。
【００３４】
移動局ＵＥは、ステップＳ１００６において、受信した「ＨＯ  Ｃｏｍｍａｎｄ」に応じて、セル＃Ａからセル＃Ｂへの切り替えを行った後に、ステップＳ１００７において、無線基地局ｅＮＢ＃Ｂに対して、「ＲＲＣ Ｃｏｎｎｅｃｔｉｏｎ  Ｒｅｃｏｎｆｉｇｕｒａｔｉｏｎ  Ｃｏｍｐｌｅｔｅ」を送信する。
【００３５】
ステップＳ１００８において、無線基地局ｅＮＢ＃Ｂは、無線基地局ｅＮＢ＃Ａに対して、移動局ＵＥのコンテキストを解放するように指示する「Ｘ２  ＵＥ  Ｃｏｎｔｅｘｔ  Ｒｅｌｅａｓｅ」を送信する。
【００３６】
一方、ステップＳ１００９において、移動局ＵＥは、セル＃ＢにおいてＲＬＦを検出した後、ステップＳ１０１０において、セル＃Ｂに対する「ＲＲＣ  Ｃｏｎｎｃｅｔｉｏｎ  Ｒｅ-ｅｓｔａｂｌｉｓｈｍｅｎｔ」手順を行う。
【００３７】
ここで、無線基地局ｅＮＢ＃Ｂは、「Ｘ２  ＵＥ  Ｃｏｎｔｅｘｔ  Ｒｅｌｅａｓｅ」を送信してから、セル＃Ｂに対する「ＲＲＣ  Ｃｏｎｎｃｅｔｉｏｎ  Ｒｅ-ｅｓｔａｂｌｉｓｈｍｅｎｔ」手順が完了するまでの時間Ｔ１を測定し、かかる時間Ｔ１が所定時間よりも短い場合、ステップＳ１０１１において、無線基地局ｅＮＢ＃Ａに対して、「Ｔｏｏ  Ｅａｒｌｙ  ＨＯ」を通知する「Ｘ２  Ｈａｎｄｏｖｅｒ  Ｒｅｐｏｒｔ」を送信する。
【００３８】
本実施形態に係る移動通信システムによれば、移動局ＵＥのセル＃Ａからセル＃Ｂへのハンドオーバが完了した後に、セル＃ＢにおけるＲＬＦが発生し、セル＃Ｂに対する「ＲＲＣ  Ｃｏｎｎｃｅｔｉｏｎ  Ｒｅ-ｅｓｔａｂｌｉｓｈｍｅｎｔ」手順が行われる場合、無線基地局ｅＮＢ＃Ｂが、「Ｘ２  ＵＥ  Ｃｏｎｔｅｘｔ  Ｒｅｌｅａｓｅ」を送信してから、セル＃Ｂに対する「ＲＲＣ  Ｃｏｎｎｃｅｔｉｏｎ  Ｒｅ-ｅｓｔａｂｌｉｓｈｍｅｎｔ」手順が完了するまでの時間Ｔ１に基づいて、無線基地局ｅＮＢ＃Ａに対して、「Ｔｏｏ  Ｅａｒｌｙ  ＨＯ」を通知するべきか否かについて判定することができる。
【００３９】
（変更例１）
以下、図４及び図５を参照して、本発明の変更例１に係る移動通信システムについて、上述の第１の実施形態に係る移動通信システムとの相違点に着目して説明する。
【００４０】
図４に示すように、本変更例１に係る移動局ＵＥは、受信部２１と、送信部２２と、測定部２３とを具備している。
【００４１】
受信部２１は、無線基地局ｅＮＢ＃Ａから「ＨＯ  Ｃｏｍｍａｎｄ」等を受信し、無線基地局ｅＮＢ＃Ｂから「ＵＥ  Ｉｎｆｏｒｍａｔｉｏｎ  Ｒｅｑｕｅｓｔ」等を受信するように構成されている。
【００４２】
送信部２２は、無線基地局ｅＮＢ＃Ａに対して「Ｍｅａｓｕｒｅｍｅｎｔ  Ｒｅｐｏｒｔ」等を送信し、無線基地局ｅＮＢ＃Ｂに対して「ＲＲＣ Ｃｏｎｎｅｃｔｉｏｎ  Ｒｅｃｏｎｆｉｇｕｒａｔｉｏｎ  Ｃｏｍｐｌｅｔｅ」や「ＵＥ  Ｉｎｆｏｒｍａｔｉｏｎ  Ｒｅｓｐｏｎｓｅ」等を送信するように構成されている。
【００４３】
測定部２３は、受信部２１によって「ＨＯ  Ｃｏｍｍａｎｄ」が受信されてから、セル＃ＢにおいてＲＬＦを検出するまでの時間Ｔ２を測定するように構成されている。
【００４４】
ここで、送信部２２は、受信部２１によって受信された「ＵＥ  Ｉｎｆｏｍａｔｉｏｎ  Ｒｅｑｕｅｓｔ」に応じて、無線基地局ｅＮＢ＃Ｂに対して、測定部２３によって測定された時間Ｔ２を含む「ＵＥ  Ｉｎｆｏｍａｔｉｏｎ  Ｒｅｓｐｏｎｓｅ」を送信するように構成されている。
【００４５】
以下、図５を参照して、本変更例１に係る移動通信システムの動作について説明する。
【００４６】
図５に示すように、ステップＳ２００１乃至Ｓ２００８の動作は、図３に示すステップＳ１００１乃至Ｓ１００８の動作と同一である。
【００４７】
移動局ＵＥは、ステップＳ２００９において、セル＃ＢにおいてＲＬＦを検出し、ステップＳ２０１０において、Ｔ３１１タイマの満了を検出し、アイドル状態に遷移する。
【００４８】
ここで、移動局ＵＥは、「ＨＯ  Ｃｏｍｍａｎｄ」を受信してから、セル＃ＢにおいてＲＬＦを検出するまでの時間Ｔ２を測定して記憶しておく。
【００４９】
ステップＳ２０１１において、移動局ＵＥは、セル＃Ｂに対する「ＲＲＣ  Ｃｏｎｎｃｅｔｉｏｎ  Ｅｓｔａｂｌｉｓｈｍｅｎｔ」手順を行う。
【００５０】
ステップＳ２０１２において、かかる「ＲＲＣ  Ｃｏｎｎｃｅｔｉｏｎ  Ｅｓｔａｂｌｉｓｈｍｅｎｔ」手順が完了すると、無線基地局ｅＮＢ＃Ｂは、移動局ＵＥに対して、移動局ＵＥに係る情報の送信を要求する「ＵＥ  Ｉｎｆｏｒｍａｔｉｏｎ  Ｒｅｑｕｅｓｔ」を送信する。
【００５１】
ステップＳ２０１３において、移動局ＵＥは、無線基地局ｅＮＢ＃Ｂに対して、上述の時間Ｔ２を含む「ＵＥ  Ｉｎｆｏｒｍａｔｉｏｎ  Ｒｅｓｐｏｎｓｅ」を送信する。
【００５２】
「ＵＥ  Ｉｎｆｏｒｍａｔｉｏｎ  Ｒｅｓｐｏｎｓｅ」に含まれる時間Ｔ２が、所定時間よりも短い場合、無線基地局ｅＮＢ＃Ｂは、ステップＳ２０１４において、無線基地局ｅＮＢ＃Ａに対して、「Ｔｏｏ  Ｅａｒｌｙ  ＨＯ」を通知する「Ｘ２  Ｈａｎｄｏｖｅｒ  Ｒｅｐｏｒｔ」を送信する。
【００５３】
本変更例１に係る移動通信システムによれば、移動局ＵＥのセル＃Ａからセル＃Ｂへのハンドオーバが完了した後に、セル＃ＢにおけるＲＬＦが発生し、移動局ＵＥがアイドル状態に遷移し、セル＃Ｂに対する「ＲＲＣ  Ｃｏｎｎｃｅｔｉｏｎ  Ｅｓｔａｂｌｉｓｈｍｅｎｔ」手順が行われる場合、無線基地局ｅＮＢ＃Ｂが、移動局ＵＥから送信された「ＵＥ  Ｉｎｆｏｒｍａｔｉｏｎ  Ｒｅｓｐｏｎｓｅ」に含まれる時間Ｔ２に基づいて、無線基地局ｅＮＢ＃Ａに対して、「Ｔｏｏ  Ｅａｒｌｙ  ＨＯ」を通知するべきか否かについて判定することができる。
【００５４】
以上に述べた本実施形態の特徴は、以下のように表現されていてもよい。
【００５５】
本実施形態の第１の特徴は、移動局ＵＥが、無線基地局ｅＮＢ＃Ａ（第１無線基地局）配下のセル＃Ａ（第１セル）から無線基地局ｅＮＢ＃Ｂ（第２無線基地局）配下のセル＃Ｂ（第２セル）にハンドオーバする移動通信方法であって、移動局ＵＥが、受信した「ＨＯ  Ｃｏｍｍａｎｄ（ハンドオーバ指示信号）」に応じて、セル＃Ａからセル＃Ｂへの切り替えを行った後に、無線基地局ｅＮＢ＃Ｂに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ（コネクション再構成完了信号）」を送信する工程と、無線基地局ｅＮＢ＃Ｂが、「ＲＲＣ  Ｃｏｎｎｅｃｔｉｏｎ  Ｒｅｃｏｎｆｉｇｕｒａｔｉｏｎ  Ｃｏｍｐｌｅｔｅ」に応じて、無線基地局ｅＮＢ＃Ａに対して、移動局ＵＥのコンテキストを解放するように指示する「Ｘ２  ＵＥ  Ｃｏｎｔｅｘｔ  Ｒｅｌｅａｓｅ（コンテキスト解放信号）」を送信する工程と、移動局ＵＥが、ＲＬＦ（無線リンク障害）を検出した場合に、セル＃Ｂに対する「ＲＲＣ  Ｃｏｎｎｅｃｔｉｏｎ  Ｒｅ-ｅｓｔａｂｌｉｓｈｍｅｎｔ（再接続）」手順を行う工程と、無線基地局ｅＮＢ＃Ｂが、「Ｘ２  ＵＥ  Ｃｏｎｔｅｘｔ  Ｒｅｌｅａｓｅ」を送信してから「ＲＲＣ  Ｃｏｎｎｅｃｔｉｏｎ  Ｒｅ-ｅｓｔａｂｌｉｓｈｍｅｎｔ」手順が完了するまでの時間Ｔ１が所定時間よりも短い場合、無線基地局ｅＮＢ＃Ａに対して、「Ｔｏｏ  Ｅａｒｌｙ  ＨＯ（ハンドオーバのタイミングが早すぎたこと）」を通知する工程とを有することを要旨とする。
【００５６】
本実施形態の第２の特徴は、移動局ＵＥが、無線基地局ｅＮＢ＃Ａ配下のセル＃Ａから無線基地局ｅＮＢ＃Ｂ配下のセル＃Ｂにハンドオーバする移動通信方法であって、移動局ＵＥが、受信した「ＨＯ  Ｃｏｍｍａｎｄ」に応じて、セル＃Ａからセル＃Ｂへの切り替えを行った後に、無線基地局ｅＮＢ＃Ｂに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する工程と、移動局ＵＥが、ＲＬＦを検出し、アイドル状態に遷移した後、セル＃Ｂに対する「ＲＲＣ  Ｃｏｎｎｅｃｔｉｏｎ  Ｅｓｔａｂｌｉｓｈｍｅｎｔ（接続）」手順を行う工程と、かかる「ＲＲＣ  Ｃｏｎｎｅｃｔｉｏｎ  Ｅｓｔａｂｌｉｓｈｍｅｎｔ」手順が完了した後、移動局ＵＥが、無線基地局ｅＮＢ＃Ｂに対して、「ＨＯ  Ｃｏｍｍａｎｄ」を受信してからＲＬＦを検出するまでの時間Ｔ２を通知する工程と、無線基地局ｅＮＢ＃Ｂが、通知された時間Ｔ２が所定時間よりも短い場合、無線基地局ｅＮＢ＃Ａに対して、「Ｔｏｏ  Ｅａｒｌｙ  ＨＯ」を通知する工程とを有することを要旨とする。
【００５７】
なお、上述の無線基地局ｅＮＢ＃Ａ/＃Ｂ及び移動局ＵＥの動作は、ハードウェアによって実施されてもよいし、プロセッサによって実行されるソフトウェアモジュールによって実施されてもよいし、両者の組み合わせによって実施されてもよい。
【００５８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ＃Ａ/＃Ｂ及び移動局ＵＥ内に設けられていてもよい。また、かかる記憶媒体及びプロセッサは、ディスクリートコンポーネントとして無線基地局ｅＮＢ＃Ａ/＃Ｂ及び移動局ＵＥ内に設けられていてもよい。
【００６０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６１】
ｅＮＢ＃Ａ、ｅＮＢ＃Ｂ…無線基地局
１１、２１…受信部
１２、２２…送信部
１３、２３…測定部
【図１】
2012147118.tif 000003
【図２】
2012147118.tif 000004
【図３】
2012147118.tif 000005
【図４】
2012147118.tif 000006
【図５】
2012147118.tif 000007
【図６】
2012147118.tif 000008